(57)【要約】【課題】二次電池のメンテナンスが容易で、且つ二次電池の好ましい使用環境を確保できる建物を得る。【解決手段】バルコニーフレーム２０の下面に、吊り下げ金具２７によって二次電池２８が吊り下げられた状態で収納され、周囲には断熱材６６が配置される。バルコニーフレーム２０には防水シート２２が敷かれている。軒天板には二次電池２８を出し入れ可能とする開口部３０が形成され、蓋部材３２で開閉される。蓋部材３２には、換気口３４が設けられている。半屋外であるバルコニー１８に二次電池２８を収納するとともに、蓋部材３２をあけて二次電池２８にアクセスできる。【選択図】図１
2010090660.tif 000002
【特許請求の範囲】
【請求項１】
建物本体の半屋外に設けられ二次電池を収納可能とされた収納庫と、
前記収納庫内において、前記二次電池を外部から防水する防水手段と、
前記収納庫内において、前記二次電池を外部から断熱する断熱部材と、
前記収納庫内を換気する換気手段と、
を有する建物。
【請求項２】
前記収納庫に設けられ、前記二次電池を収納庫内に出し入れ可能とする開口部と、
前記開口部を閉塞可能な蓋部材と、
を有する請求項１に記載の建物。
【請求項３】
前記開口部が下方に向かって開口されている請求項２に記載の建物。
【請求項４】
前記二次電池が収納庫の内面から離間して保持されている請求項１〜請求項３のいずれか１項に記載の建物。
【請求項５】
前記収納庫の天面から収納庫の底板を吊り下げるための吊り下げ部材を備え、
前記二次電池が前記吊り下げ部材に保持されて前記天面から吊り下げられている請求項１〜請求項４のいずれか１項に記載の建物。
【請求項６】
前記断熱部材が、前記吊り下げ部材と前記二次電池の間に配置され二次電池を吊り下げ部材に対し固定している請求項５に記載の建物。
【請求項７】
前記二次電池を保持しつつ、前記収納庫内に収納した収納位置と前記収納庫から取り出した取出位置との間で移動可能とする移動手段、を有する請求項１〜請求項６のいずれか１項に記載の建物。
【請求項８】
前記移動手段に備えられ、前記移動手段の移動範囲を制限する移動範囲制限手段、
を有する請求項７に記載の建物。
【請求項９】
前記移動手段に備えられ、前記二次電池を前記取出位置で移動手段に対し固定する固定手段、
を有する請求項８に記載の建物。
【請求項１０】
前記換気手段が、
前記収納庫内に設けられたファンと、
前記収納庫に設けられた換気口と、
を含んでいる請求項１〜請求項９のいずれか１項に記載の建物。
【発明の詳細な説明】
【技術分野】
【０００１】
本発明は、二次電池を収納可能とされた建物に関する。
【背景技術】
【０００２】
住宅等の建物では、二次電池（蓄電池）を備えたものがある。たとえば特許文献１には、蓄電池をユニットフレームの床部あるいは壁部に収納設置した建物ユニットが記載されている。
【０００３】
しかし、このように蓄電池をユニットフレームの内部に収納してしまうと、蓄電池のメンテナンス等が困難になる。蓄電池に対するメンテナンス性向上のためだけであれば、蓄電池を屋外に設置することも考えられるが、屋外は蓄電池の使用環境としては、好ましいとは言えない。
【特許文献１】特許第３９９３３３９号公報
【発明の開示】
【発明が解決しようとする課題】
【０００４】
本発明は上記事実を考慮し、二次電池のメンテナンスが容易で、且つ二次電池の好ましい使用環境を確保できる建物を得ることを課題とする。
【課題を解決するための手段】
【０００５】
請求項１に記載の発明では、建物本体の半屋外に設けられ二次電池を収納可能とされた収納庫と、前記収納庫内において、前記二次電池を外部から防水する防水手段と、前記収納庫内において、前記二次電池を外部から断熱する断熱部材と、前記収納庫内を換気する換気手段と、を有する。
【０００６】
本発明では、二次電池（蓄電池）を収納可能な収納庫が、建物本体の半屋外に設けられている。この「半屋外」は、建物本体の内部（屋内）のように人が居住するスペースではないものの、建物の外部に露出していない部分をいい、たとえば、バルコニーや屋根の軒天板裏、玄関ポーチ下、玄関庇、勝手口庇、ふかし壁の内部等が該当する。このような半屋外に収納庫を設けて二次電池を収納しているので、二次電池を建物のユニットフレームの内部に配置した構成と比較して、メンテナンスが容易になる。
【０００７】
また、本発明では、防水手段によって二次電池が外部から防水され、断熱手段によって、二次電池が外部から断熱されている。さらに、換気手段によって、収納庫が換気されている。これらにより、収納庫内に収納された二次電池に対し、好ましい使用環境を確保することが可能になる。
【０００８】
なお、本発明の換気手段は、少なくとも収納庫内を換気できれば充分であり、この換気には、たとえば、空調装置を用いて収納庫内を空調することにより換気する構成も含まれる。
【０００９】
請求項２に記載の発明では、請求項１に記載の発明において、前記収納庫に設けられ、前記二次電池を収納庫内に出し入れ可能とする開口部と、前記開口部を閉塞可能な蓋部材と、を有する。
【００１０】
したがって、蓋部材により通常は開口部を閉塞することができるが、蓋部材を開けた状態では、開口部から二次電池を収納庫内に出し入れし、たとえばメンテナンス等の作業を行うことができる。
【００１１】
請求項３に記載の発明では、請求項２に記載の発明において、前記開口部が下方に向かって開口されている。
【００１２】
これにより、開口部から収納庫内への雨水等の浸入をより確実に抑制可能となる。開口部周縁に防水構造を設ける場合でも、簡素化できるので、軽量化、低コスト化を図ることができる。
【００１３】
請求項４に記載の発明では、請求項１〜請求項３のいずれか１項に記載の発明において、前記二次電池が収納庫の内面から離間して保持されている。
【００１４】
このように、二次電池を収納庫の内面から離間させて、すなわち収納庫の内面に対し非接触で保持することで、二次電池が収納庫に内面に接触している構成と比較して、より高い断熱効果、防水効果を得ることが可能になる。
【００１５】
請求項５に記載の発明では、請求項１〜請求項４のいずれか１項に記載の発明において、前記収納庫の天面から収納庫の底板を吊り下げるための吊り下げ部材を備え、前記二次電池が前記吊り下げ部材に保持されて前記天面から吊り下げられている。
【００１６】
このように、収納庫の底板を吊り下げる吊り下げ部材を用い、この吊り下げ部材に二次電池を保持させることで、二次電池を収納庫の天面から吊り下げて保持することが可能になる。
【００１７】
請求項６に記載の発明では、請求項５に記載の発明において、前記断熱部材が、前記吊り下げ部材と前記二次電池の間に配置され二次電池を吊り下げ部材に対し固定している。
【００１８】
したがって、断熱部材を用いて、二次電池を吊り下げ部材に対し固定でき、結果的に、吊り下げ部材を介して二次電池を収納庫に対しても固定できることになる。二次電池を固定するために他の部材が不要なので、部品点数が少なくて済む。
【００１９】
請求項７に記載の発明では、請求項１〜請求項６に記載の発明において、前記二次電池を保持しつつ、前記収納庫内に収納した収納位置と前記収納庫から取り出した取出位置との間で移動可能とする移動手段、を有する。
【００２０】
したがって、移動手段により、二次電池を収納位置と取出位置との間で移動させることができる。
【００２１】
請求項８に記載の発明では、請求項７に記載の発明において、前記移動手段に備えられ、前記移動手段の移動範囲を制限する移動範囲制限手段、を有する。
【００２２】
すなわち、移動手段による二次電池の移動範囲が移動範囲制限部材によって制限される。たとえば、二次電池を昇降させる場合に、地面に接触しない昇降範囲に制限する等が可能であり、作業性がさらに向上する。
【００２３】
請求項９に記載の発明では、請求項８に記載の発明において、前記移動手段に備えられ、前記二次電池を前記取出位置で移動手段に対し固定する固定手段、を有する。
【００２４】
固定手段により、二次電池を取出位置で固定することで、取出位置での二次電池に対する各種の作業性が向上する。固定手段を複数設けることで、固定位置を複数設定することも可能であり、これによってさらに作業性が向上する。
【００２５】
請求項１０に記載の発明では、前記換気手段が、前記収納庫内に設けられたファンと、前記収納庫に設けられた換気口と、を含んでいる。
【００２６】
ファンを駆動し換気口を通じで空気を出入りさせて収納庫内を換気できる。ファンと換気口を設ける簡単な構造で、換気手段を構成できる。
【発明の効果】
【００２７】
本発明は上記構成としたので、二次電池のメンテナンスが容易で、且つ二次電池の好ましい使用環境を確保できる建物が得られる。
【発明を実施するための最良の形態】
【００２８】
図１には、本発明の第１実施形態に係る建物１２が部分的に示されている。この建物１２は、ユニットフレーム１４Ｕにより構成された複数の建物ユニット１４を水平方向及び垂直方向に接合して構成されており、１階部分１２−１と２階部分１２−２とを有している。建物１２の２階部分１２−２からは、建物本体１６の外側にむけてバルコニー１８が固定されている。
【００２９】
図２にも示すように、バルコニー１８は、建物本体１６と接合された略水平のバルコニーフレーム２０を有している。バルコニーフレーム２０には防水シート２２が敷かれており、さらにその上に、バルコニー仕上材２４が配置されている。
【００３０】
バルコニーフレーム２０の下面側には、複数の吊り下げ金具２７によって、軒天板２６が吊り下げられている。軒天板２６はバルコニーフレーム２０と平行に配置されており、バルコニーフレーム２０と建物外壁１６Ｓの一部及び腰壁２１の下部との間の空間が本発明に係る収納庫６２となっている。そして、この収納庫６２内に、後述するように吊り下げ金具２７によって、１又は複数（本実施形態では２つ）の二次電池２８が吊り下げられて収納される。したがって、収納庫６２の天面は、バルコニーフレーム２０の下面で構成され、収納庫６２の底板は軒天板２６で構成されている。
【００３１】
なお、本発明に係る二次電池２８は、実際に電力を蓄電する二次電池本体と、この二次電池本体を制御する制御部等とを有している。これらは、一体化されていてもよいし、別体としてケーブル等で接続されていてもよい。さらに、制御部には、外部の接続部等に接続されて二次電池本体の充放電を行うためのコネクターが設けられている。
【００３２】
軒天板２６には二次電池２８を出し入れ可能とする開口部３０が形成されており、蓋部材３２がヒンジを中心として回転することで、開口部３０は開閉されるようになっている。蓋部材３２には、換気口３４が設けられている。換気口３４は、通常は逆止弁３６によって閉塞されているが、収納庫６２の内部に生じた気流や、収納庫６２の内部と外部との気圧差等によって開弁される。
【００３３】
バルコニーフレーム２０の下面から延出された吊り下げ金具２７のそれぞれは、柱状（断面略Ｃ字状あるいはＨ字状など）に形成されており、バルコニー１８の延出方向及び幅方向に所定間隔をあけて配置されている。また、図１及び図２に示す吊り下げ金具２７のうち、両側に位置する吊り下げ金具２７のそれぞれには、図２に詳細に示すように、上下方向に沿って長孔３８が形成され、さらに長孔３８には、上下方向に所定間隔で複数の係合凹部４０が形成されている。また、吊り下げ金具２７には、長尺状の一対のスライドレール４２が配設されている。スライドレール４２の上方には、吊り下げ金具２７から離脱不能で、且つ吊り下げ金具２７に沿ってスライド可能なスライド部材４４が取り付けられている。
【００３４】
スライド部材４４には、図示しないレバーの操作により係合凹部４０に係合又は係合解除可能な一対の係合ピン４６が設けられている。係合ピン４６は、スライド部材１つにつき、互いに対向するように２つ設けられている。そして、係合ピン４６は、係合凹部４０に係合していない状態では長孔３８内を上下に移動し、スライド部材４４も吊り下げ金具２７に沿って矢印Ｓ１方向及びその反対方向にスライド可能となるが、係合ピン４６が係合凹部４０に係合している状態では、スライド部材４４は矢印Ｓ１方向にスライド不能となる。なお、スライド部材４４には、図示しないダンパーが設けられており、二次電池２８の荷重が作用しても、急激に降下することはないようになっている。
【００３５】
スライド部材４４には、図３（Ａ）及び（Ｂ）に詳細に示すように、支軸４８によって固定ギヤ５０が固定されている。支軸４８は、スライドレール４２の上部にも挿通されており、これにより、スライドレール４２が支軸４８を中心として矢印Ｒ１方向に回転可能に支持されている。
【００３６】
また、スライドレール４２の上部には、スライドレール４２の長手方向に沿って長孔５１が形成され、この長孔３８に沿って矢印Ｓ２方向にスライド可能に移動ギヤ５２が取り付けられている。移動ギヤ５２は、スライドレール下部に設けられた操作部５４（図２参照）とリンク５５で連結されており、操作部５４を操作することで、上方に移動して固定ギヤ５０に噛み合う噛合位置と、下方に移動して固定ギヤ５０から離間する噛合解除位置との間をスライドする。移動ギヤ５２が固定ギヤ５０から離間している状態では、スライドレール４２は支軸４８周り（矢印Ｒ１方向）に回転可能となるが、移動ギヤ５２が固定ギヤ５０と噛合っている状態では、スライドレールは支軸４８周りに回転不能となる。
【００３７】
図２に示すように、スライドレール４２の下部からは、支持プレート５６が延出されている。そして、支持プレート５６上に１又は複数の二次電池２８が支持されている。スライド部材４４、スライドレール４２、及び支持プレート５６を含んで、本発明に係る吊り下げユニット６０が構成されている。そして、吊り下げ金具２７の間に、二次電池２８を収納する収納庫６２が構成されている。
【００３８】
なお、吊り下げ金具２７に形成された長孔３８の長さは、二次電池２８が最も降下したときでも地面等に接触しない程度に設定されている。すなわち、長孔３８が、二次電池２８の昇降範囲を、二次電池２８が地面等に接触ない範囲に制限している。
【００３９】
吊り下げユニット６０と二次電池２８の間にはアタッチメント部材６４が配置されており、このアタッチメント部材６４によって、二次電池２８が吊り下げユニット６０に対し位置決めされて固定されている。
【００４０】
さらに、吊り下げユニット６０の間には、二次電池２８の周囲及び上方に位置するように断熱材６６が配置されている。したがって、図１から分かるように、二次電池２８は、吊り下げユニット６０により保持され、建物外壁１６Ｓ及び腰壁２１から離間した状態でバルコニーフレーム２０に吊り下げられていることになる。そして、吊り下げ状態で、上記したアタッチメント部材６４に加えて断熱材６６を介して、二次電池２８が吊り下げユニット６０に対し固定されている。なお、断熱材６６は、必要とされる断熱の程度に応じて配設されるものであり、たとえば、図２に示すよりもさらに多くの断熱材６６が配置されていてもよい。たとえば、吊り下げユニット６０と建物外壁１６Ｓの間、あるいは、吊り下げユニット６０と腰壁２１の間に配設されていてもよい。吊り下げユニット６０と建物外壁１６Ｓの間にも断熱材６６を配設すると、断熱材６６によって、二次電池２８が建物外壁１６Ｓに対しても固定されることになる。
【００４１】
図１に示すように、吊り下げユニット６０には、本発明の空気移動手段の一例であるファン６８が設けられている。ファン６８の回転により、収納庫６２内で空気の流れ（移動）を生じさせることが可能であるが、さらにこれにより、換気口３４を通じて収納庫６２の内部と外部での空気の出入りを生じさせて、収納庫６２内を換気できる。なお、ファン６８は、スライド部材４４やスライドレール４２とは干渉しない位置で吊り下げ金具２７に取り付けられている。
【００４２】
このような構成とされた第１実施形態の建物１２では、二次電池２８を収納する収納庫６２が、半屋外であるバルコニー１８に設けられている。そして、蓋部材３２をあけて開口部３０を開放することで、収納された二次電池２８にアクセスして、メンテナンスや交換等の作業を行うことができる。すなわち、本実施形態では、半屋外であるバルコニー１８の下方に二次電池２８を収納するようにしたことで、たとえば、二次電池を建物の壁体の内部（ユニットフレームの内部）等に収納した構成と比較して、メンテナンス等の作業性が向上している。
【００４３】
特に本実施形態では、係合ピン４６を係合凹部４０から係合解除することで、スライド部材４４及びスライドレール４２と共に二次電池２８を下方にスライドさせ、下方へ移動させることができる。さらに、操作部５４を操作することで移動ギヤ５２を固定ギヤ５０から係合解除し、スライドレール４２を支軸４８周りに回転させることで、二次電池２８の角度を変更することも可能となる。そして、係合ピン４６を係合凹部４０に係合させ、移動ギヤ５２を固定ギヤ５０に噛合わせることで、二次電池２８を所望（たとえば作業性に優れた）位置及び角度に固定でき、不用意な移動（揺動や上下動）を抑制できる。そしてこのように、二次電池２８を収納庫６２から出した状態で、所望の位置及び角度に固定することで、メンテナンス等の作業性がさらに向上する。
【００４４】
二次電池２８の昇降範囲は、二次電池２８を最も降下させても地面等に接触することがないように、長孔３８によって制限されている。二次電池２８が地面等に接触せず、所望の高さで保持されるので、作業性が向上する。
【００４５】
また、本実施形態では、このように、半屋外に二次電池２８を収納するようにしており、完全な屋外に二次電池２８を設置した構成と比較して、温度、湿度等の条件変化少ない（すなわちこれらの条件が整った状態が維持されやすい）。このため、二次電池２８にとって好ましい使用環境を維持可能となる。
【００４６】
しかも、本実施形態では、バルコニーフレーム２０の上面に防水シート２２が配置されており、収納庫６２への上方からの水分（雨水等）の浸入が抑制されている。加えて、開口部３０は下方に向かって開口されているため、上方に向かって開口部３０が開口された構成と比較して、雨水等が収納庫６２内に入りにくくなっている。これらにより、収納庫６２への外部からの水分の浸入が抑制され、二次電池２８にとって好ましい使用環境を維持可能となる。上方に向かって開口している構成では、開口部の周縁に水密性の高いシール構造を設ける必要があるが、本実施形態ではその必要がないので、構造を簡素化でき、軽量化、低コスト化を図ることも可能となる。
【００４７】
さらに、本実施形態では、二次電池２８の周囲及び上方に断熱材６６が配置されており、二次電池２８が外部から断熱されている。したがって、二次電池にとって好ましい温度環境を維持できる。また、断熱材６６を用いて二次電池２８を吊り下げユニット６０に固定し、さらに吊り下げユニット６０を介して、二次電池２８をバルコニーフレーム２０に固定できる。二次電池２８を吊り下げユニット６０に固定するための特別な部材が不要なので、部品点数が少なくて済む。
【００４８】
特に、本実施形態では、吊り下げユニット６０を用いて、二次電池２８を建物外壁１６Ｓ及び腰壁２１から離間させて保持している。したがって、二次電池２８がこれらに接触した構造のものと比較して、二次電池２８に対するより高い断熱効果、防止効果を得ることができる。もちろん、二次電池２８を建物外壁１６Ｓ及び腰壁２１から離間させて保持する構成は吊り下げユニット６０に限定されないが、吊り下げユニット６０を用いると、軒天板２６を吊り下げるための吊り下げ金具２７を効果的に利用し、簡単な構造で、二次電池２８を建物外壁１６Ｓ及び腰壁２１からから離間させて保持可能となる。
【００４９】
加えて、本実施形態では、ファン６８を駆動することで、収納庫６２内を、換気口３４を通して換気することもできる。このように、収納庫６２（二次電池２８の近傍）を換気することで、二次電池２８にとってさらに好ましい温度・湿度環境を維持できる。しかも、ファン６８と換気口３４を設ける簡単な構成で、収納庫６２を換気できる。
【００５０】
なお、図１から分かるように、バルコニーフレーム２０の下方は、通常は本実施形態のように二次電池２８を収納する以外の目的では使用されることはなく、いわゆるデッドスペースとなっていることが多い。このようなデッドスペースを用いて二次電池２８を配置できるので、スペース効率の高い建物１２となる。
【００５１】
図４には、本発明の第１実施形態の変形例の構成が部分的に示されている。この変形例では、第１実施形態と比較して、スライドレール４２をスライド部材４４に対し回転不能にロックするための構成が異なっている。
【００５２】
すなわち、この変形例では、第１実施形態の移動ギヤ５２に代えて、上下方向にスライド不能な第２固定ギヤ８４がスライドレール４２に取り付けられている。また、スライドレール４２には、その長手方向に沿って移動可能に係合アーム８６が配置されている。係合アーム８６の下部は操作部８８とされており、操作部８８を把持して係合アーム８６を上下させることで、係合アーム８６の先端を第２固定ギヤに係合あるいは係合解除することができる。係合状態では、スライドレール４２は支軸４８周りに回転不能となるが、係合解除状態では、図５（Ａ）及び（Ｂ）に示すように、スライドレール４２は支軸４８周り（矢印Ｒ１方向）に回転可能となる。
【００５３】
このように、スライドレール４２を支軸４８周りに回転可能或いは回転不能にロックする構成は、特に限定されず、上記以外にも各種の構成を採用できる。
【００５４】
図６には、本発明の第２実施形態の建物１１２が示されている。第２実施形態において、第１実施形態と同一の構成要素、部材等については、同一符号を付して詳細な説明を省略する。
【００５５】
第２実施形態では、第１実施形態の建物１２の構成に加えて、空調装置１１４が設けられている。空調装置１１４は、吊り下げユニット６０の間に配設される空調装置本体１１６と、バルコニー１８の上に配置される室外機１１８とを有している。空調装置本体１１６と室外機１１８とは、接続ダクト１２０で接続されている。
【００５６】
したがって、第２実施形態では、第１実施形態の作用に加えて、特に、収納庫６２内（二次電池２８の近傍）の温度や湿度を、空調装置１１４の運転によって積極的に制御して所望の温度や湿度とし、二次電池２８にとってより好ましい環境とすることが可能である。
【００５７】
なお、図６では、空調装置１１４に加えて、ファン６８を設けた例を挙げているが、空調装置１１４がファン６８と同様の機能を有していれば、ファン６８を省略してもよい。なお、一般的には、空調装置１１４の駆動により、二次電池２８の近傍の空気は、相対的に遠い位置へと移動されるので、ファン６８の機能を有していると言える。
【００５８】
図７には、本発明の第３実施形態の建物１３２が部分的に示されている。第３実施形態では、第１実施形態の建物１２と略同一の構成とされているので、同一の構成要素、部材等には同一符号を付して詳細な説明を省略し、以下では、第１実施形態と異なる点を説明する。
【００５９】
第３実施形態の建物１３２では、バルコニーフレーム２０に、下方に向かって開口された吸熱口１３４が形成されている。吸熱口１３４は、バルコニーフレーム２０の内部で略水平方向に延出された熱流路１３６に連続しており、熱流路１３６はバルコニーフレーム２０の縁部の排熱口１３８に至っている。排熱口１３８には、たとえば図示しない逆止弁等が設けられており、外部への気体の移動は許容すると共に不用意な雨水の浸入が防止されている。
【００６０】
吸熱口１３４の下方には蓄熱材１４０が配置され、さらにその下方には、ファン１４２が設けられている。
【００６１】
このような構成とされた第４実施形態では、二次電池２８で発生した熱を一時的に蓄熱材１４０に蓄熱する。そして、必要に応じてファン１４２を駆動することで、吸熱口１３４から熱流路１３６に送ることで、バルコニー１８の床部分の温度を上昇させることができる。たとえば、バルコニー１８に雪ＳＮが積もっている場合に、床部分を温度上昇させて融雪できる。
【００６２】
しかも、蓄熱材１４０で蓄熱するようにしているので、二次電池２８が熱を発生していないときであっても、蓄熱材１４０の熱を利用できる。なお、図８に示す第４実施形態の変形例のように、蓄熱材１４０やファン１４２がない構成であっても、二次電池２８で発生した熱を熱流路１３６に導入することで、バルコニー１８の床部分の温度を上昇させることは可能である。もちろん、蓄熱材１４０やファン１４２を用いるほうが、より効果的にバルコニー１８の床部分の温度を上昇させることができ、好ましい。
【００６３】
図９には、本発明の第４実施形態の建物１５２が、玄関の近傍（外側部分）を拡大して示されている。
【００６４】
第４実施形態では、玄関扉１５４の外側に２段の階段状の玄関ポーチ１５６が設けられている。玄関ポーチ１５６の内部には、２段の段差のそれぞれに対応したサイズの収納庫１５８Ａ、１５８Ｂが配設されている。
【００６５】
収納庫１５８Ａ、１５８Ｂはいずれも直方体の箱状に形成されており、その内部に、二次電池２８を収納できるようになっている。また、収納庫１５８Ａ、１５８Ｂは、上方（玄関ポーチ１５６の踏面１６０）からの荷重や衝撃に耐えることができる程度の強度を有している。収納庫１５８Ａ、１５８Ｂの上面には防水シート１７０が配設されており、収納庫１５８Ａ、１５８Ｂ内が防水されている。
【００６６】
図１０に示すように、玄関ポーチ１５６の側面には開口部１６２が形成されており、蓋部材１６４により開閉できるようになっている。なお、図１０では、下側の蓋部材１６４を玄関ポーチ１５６から完全に取り外した状態としているが、たとえばヒンジを用いて蓋部材１６４を玄関ポーチ１５６に回転可能に取り付け、回転させて開口部１６２を開閉する構成でもよい。蓋部材１６４には、換気口１６６が形成されており、収納庫１５８Ａ、１５８Ｂ内を換気できるが、図示しない弁部材により、収納庫１５８Ａ、１５８Ｂ内への雨水等の液体の浸入は防止されている。
【００６７】
本実施形態の二次電池２８は、その周囲を取り囲む筐体１７５によって保持されている。そして、筐体１７５内には断熱材１７２が配置され、この断熱材１７２の内部に二次電池２８が断熱されて収容されている。収納庫１５８Ａ、１５８Ｂ内には固定フレーム１６９が配置されており、所定の収納位置に収納された二次電池２８の筐体１７５を固定している。
【００６８】
収納庫１５８Ａ、１５８Ｂの下面には、平行な複数本（本実施形態では３本）の固定レール１７４が固定されている。固定レール１７４のそれぞれには、固定レール１７４上を矢印Ｍ１方向及びその反対方向に移動する移動レール１７６が設けられている。さらに、筐体１７５には、移動レール１７６のそれぞれに対応した車輪１７８が取り付けられている。二次電池２８は、車輪１７８が移動レール１７６上を転がることで、スムーズに矢印Ｍ１方向及びその反対方向に移動するようになっている。したがって、筐体１７５（二次電池２８）を矢印Ｍ１方向に引くと、まず、移動レール１７６が固定レール１７４上をスライドする。そして、そのスライド終了後に、あるいはスライド途中で、車輪１７８が回転して、筐体１７５が移動レール１７６上を移動する。
【００６９】
移動レール１７６及び筐体１７５には、図示しないロック機構が設けられている。ロック機構は、通常は移動レール１７６及び筐体１７５を矢印Ｍ１方向及びその反対方向に移動しないように任意の位置でロックできるが、ロック解除ボタンを操作することでこのロックが解除され、移動レール１７６及び筐体１７５が矢印Ｍ１方向及びその反対方向に移動可能となる。
【００７０】
また、移動レール１７６の後端（図１０で右側の端部）には、ストッパ１７６Ｓが立設されており、筐体１７５が移動レール１７６に対し相対的に矢印Ｍ１方向と反対に移動して脱落することを防止している。
【００７１】
収納庫１５８Ａ、１５８Ｂ内（固定フレーム１６９の上端及び下端）には、収納庫１５８Ａ、１５８の天面及び底面に接触する複数の衝撃緩衝材１８０が取り付けられている。これにより、玄関ポーチ１５６の踏面１６０に作用した荷重が緩和され、二次電池２８を保護できるようになっている。
【００７２】
このような構成とされた第４実施形態においても、二次電池２８を収納する収納庫１５８Ａ、１５８Ｂが、半屋外である玄関ポーチ１５６に設けられている。そして、蓋部材１６４をあけて開口部１６２を開放することで、収納された二次電池２８にアクセスして、メンテナンスや交換等の作業を行うことができ、作業性が向上している。
【００７３】
また、第４実施形態では、図示しないロック機構により、移動レール１７６を矢印Ｍ１方向及びその反対方向に移動しないようにロックできる。したがって、移動レール１７６すなわち二次電池２８を収納庫１５８Ａ、１５８Ｂ内で不用意に移動しないように固定できる。さらに、移動レール１７６（二次電池２８）を収納庫１５８Ａ、１５８Ｂから矢印Ｍ１方向に引き出した所定の位置で固定することも可能となる。
【００７４】
加えて、通常はデッドスペースとなる玄関ポーチ１５６の内部（踏面１６０よりも下側）を利用して二次電池２８を収納できるので、スペース効率も高くなる。
【００７５】
しかも、二次電池２８を半屋外に収納することで、温度、湿度などの条件変化が屋外と比較して少なくなるので、二次電池２８にとって好ましい使用条件となる。加えて、本実施形態では、収納庫１５８Ａ、１５８Ｂ内が換気口１６６によって換気されると共に、収納庫１５８Ａ、１５８Ｂの周囲に配置された防水シート１７０及び断熱材１７２により、収納庫１５８Ａ、１５８Ｂが防水及び断熱されている。このように、収納庫１５８Ａ、１５８Ｂ、すなわち二次電池２８が防水及び断熱されることによっても、二次電池２８にとって好ましい使用環境を維持可能となる。
【００７６】
図１１には、本発明の第５実施形態の建物２１２が部分的に示されている。第５実施形態では、建物本体１６の建物外壁１６Ｓの外側に設けられた外観向上のためのふかし壁２１４内に、二次電池２８が収納された例である。
【００７７】
ふかし壁２１４は、建物本体１６の建物外壁１６Ｓに配置されるふかし壁フレーム２１８を有している。建物本体１６の建物外壁１６Ｓの接続用ブラケット（図示省略）に対しふかし壁フレーム２１８がボルト等により固定される。実質的に、ふかし壁フレーム２１８が、本発明に係る収納庫２１６の一部を構成している。
【００７８】
ふかし壁フレーム２１８の外側には、複数の外板２２２が並置されており、その目地部分と、上部及び下部を防水シート２２４が覆っている。さらに、防水シート２２４の外側には図示しない目地処理シールが貼着され、目地を覆っている。また、外板２２２の周囲の所定位置には、必要に応じて木口防水テープ２２６が貼着されて、木口部分を防水している。したがって、第６実施形態では、ふかし壁フレーム２１８の内側が、外板２２２、防水シート２２４及び木口防水テープ２２６によって囲まれていることになる。そして、これら外板２２２、防水シート２２４及び木口防水テープ２２６によって、本発明に係る防水手段が構成されている。
【００７９】
ふかし壁フレーム２１８の上部には、第１実施形態と同様の一対の吊り下げユニット６０が取り付けられている（ただし、第１実施形態では、吊り下げ金具２７は軒天板２６を吊り下げるための部材であったが、第５実施形態では軒天板２６は設けられていない）。そして、これらの吊り下げユニット６０の間に、二次電池２８が収納されている。さらに、二次電池２８と吊り下げユニット６０の間には断熱材２２８が配置されており、二次電池２８が吊り下げユニット６０に対し固定されている。
【００８０】
ふかし壁フレーム２１８の下部には、第１実施形態と同様に、二次電池２８を取り出し可能とする開口部２３０が形成され、蓋部材２３２で開閉できるようになっている。蓋部材２３２には、第１実施形態と同様の換気口３４（図１１では図示省略、図２参照）が設けられ、さらに換気口には逆止弁３６（同じく図１１では図示省略、図２参照）が設けられている。
【００８１】
このような構成とされた第５実施形態においても、二次電池２８を収納する収納庫２１６が、半屋外であるふかし壁２１４の構成部品であるふかし壁フレーム２１８の内部に設けられている。そして、蓋部材２３２を開けて開口部２３０を開放することで、収納された二次電池２８にアクセスして、メンテナンスや交換等の作業を行うことができ、作業性が向上している。
【００８２】
しかも、二次電池２８を半屋外に収納することで、温度、湿度などの条件変化が屋外と比較して少なくなり、二次電池２８にとって好ましい使用条件となる。第６実施形態においても、収納庫２１６が換気口によって換気されると共に、防水シート２２４及び断熱材２２８により、収納庫２１６が防水及び断熱されている。
【００８３】
本発明において、二次電池２８を収納する箇所としても、上記したものに限定されず、いわゆる半屋外であればよい。たとえば、屋根の軒天板裏、玄関庇、勝手口庇等に二次電池２８を収納してもよい。これらの構成において、防水シートの下に二次電池２８を配置することで、二次電池２８を確実に防水可能となる。また、二次電池の周囲を換気（好ましくは空調）する換気手段を設けることで、二次電池２８にとって好ましい温度、湿度等の環境を維持可能となる。
【００８４】
なお、第４実施形態及び第５実施形態において、第１実施形態等のファン６８（図１参照）や、第２実施形態の空調装置１１４（図６参照）等を設けて、二次電池２８の周囲の温度、湿度等の条件をさらに確実に制御できるようにしてもよい。さらに、これら第４実施形態及び第５実施形態において、第３実施形態と同様の吸熱口１３４、熱流路１３６及び排熱口１３８を設け、踏面１６０上あるいはふかし壁２１４の上面の融雪を可能としてもよい。
【００８５】
また、第１〜第５実施形態において、上記では、手動により二次電池２８をスライドあるいは回転させる構成を挙げたが、たとえば、モータ等を使用し電動によりこれらの動作を行うようにしてもよい。
【図面の簡単な説明】
【００８６】
【図１】本発明の第１実施形態に係る建物を部分的に示す概略図である。
【図２】本発明の第１実施形態に係る建物を収納された二次電池の近傍で拡大して示す概略図である。
【図３】本発明の第１実施形態において吊り下げ部材の一部を拡大して示し（Ａ）は正面図、（Ｂ）は側面図である。
【図４】本発明の第１実施形態の変形例において吊り下げ部材の一部を拡大して示す正面図である。
【図５】本発明の第１実施形態の変形例において吊り下げ部材の一部を拡大して示し（Ａ）は正面図、（Ｂ）は側面図である。
【図６】本発明の第２実施形態に係る建物を収納された二次電池の近傍で拡大して示す概略図である。
【図７】本発明の第３実施形態に係る建物を収納された二次電池の近傍で拡大して示す概略図である。
【図８】本発明の第３実施形態の変形例に係る建物を収納された二次電池の近傍で拡大して示す概略図である。
【図９】本発明の第４実施形態に係る建物を収納された二次電池の近傍で拡大して示す断面図である。
【図１０】本発明の第４実施形態に係る建物を収納された二次電池の近傍で拡大して示す断面図である。
【図１１】本発明の第５実施形態に係る建物を収納された二次電池の近傍で拡大して示す斜視図である。
【符号の説明】
【００８７】
１２  建物
１６  建物本体
１６Ｓ      建物外壁
１８  バルコニー
２０  バルコニーフレーム
２１  腰壁
２２  防水シート（防水手段）
２４  バルコニー仕上材
２６  軒天板
２７  吊り下げ金具（吊り下げ部材）
２８  二次電池
３０  開口部
３２  蓋部材
３４  換気口（換気手段）
３６  逆止弁
３８  長孔（移動範囲制限手段）
４０  係合凹部（固定手段）
４２  スライドレール
４４  スライド部材
４８  支軸
５０  固定ギヤ
５２  移動ギヤ
５４  操作部
５６  支持プレート
６０  吊り下げユニット（吊り下げ部材、移動手段））
６２  収納庫
６４  アタッチメント部材
６６  断熱材（断熱手段）
６８  ファン（換気手段）
８４  固定ギヤ
８６  係合アーム
８８  操作部
１１２      建物
１１４      空調装置
１３２      建物
１３４      吸熱口
１３６      熱流路
１３８      排熱口
１４０      蓄熱材
１４２      ファン
１５２      建物
１５４      玄関扉
１５６      玄関ポーチ
１５８Ａ、１５８Ｂ      収納庫
１６０      踏面
１６２      開口部
１６４      蓋部材
１６６      換気口
１６９      固定フレーム
１７０      防水シート
１７２      断熱材
１７４      固定レール
１７５      筐体
１７６      移動レール
１７６Ｓ    ストッパ
１７８      車輪
１８０      衝撃緩衝材
２１２      建物
２１４      ふかし壁
２１６      収納庫
２１８      ふかし壁フレーム
２２２      外板
２２４      防水シート
２２６      木口防水テープ
２２８      断熱材
２３０      開口部
２３２      蓋部材
ＳＮ  雪
【図１】
2010090660.tif 000003
【図２】
2010090660.tif 000004
【図３】
2010090660.tif 000005
【図４】
2010090660.tif 000006
【図５】
2010090660.tif 000007
【図６】
2010090660.tif 000008
【図７】
2010090660.tif 000009
【図８】
2010090660.tif 000010
【図９】
2010090660.tif 000011
【図１０】
2010090660.tif 000012
【図１１】
2010090660.tif 000013